(57)【特許請求の範囲】
【請求項１】
高電圧パルスを人体に貼られた電極を通じて人体に通電することにより、低周波治療を行い、かつ強さを調整する手段を有する低周波治療器において、強さ調整手段の強さが、刺激強さの強くなる方向に設定された時間内に設定された移動量よりも大きく動いたか否かを判別する手段と、設定された移動量よりも大きく動いた場合には、刺激強さの変更を禁止する手段と、を備えたことを特徴とする低周波治療器。
【請求項２】
高電圧パルスを人体に貼られた電極を通じて人体に通電することにより、低周波治療を行い、かつ強さを調整する手段を有する低周波治療器において、強さ調整手段の強さが、刺激強さの強くなる方向に設定された時間内に設定された移動量よりも大きく動いたか否かを判別する手段と、設定された移動量よりも大きく動いた場合には、刺激強さの増加を設定された増加上限値に制限する手段と、を備えたことを特徴とする。
【請求項３】
高電圧パルスを人体に貼られた電極を通じて人体に通電することにより、低周波治療を行い、かつ強さを調整する手段を有する低周波治療器において、強さ調整手段の強さが、刺激強さの弱くなる方向に設定された時間内に設定された移動量よりも大きく動いたか否かを判別する手段と、設定された移動量よりも大きく動いた場合には、刺激強さを０に強制する手段と、を備えたことを特徴とする低周波治療器。
【請求項４】
前記強さを調整する強さ調整手段は、ダイヤルにロータリエンコーダ又はデジタルスイッチ、又はパルススイッチ等を使用し、ダイヤルの移動量に応じて刺激強さを可変させることを特徴とする請求項１、請求項２又は請求項３記載の低周波治療器。
【請求項５】
電源投入時、及び治療モードが変更選択された時、刺激強さを０に強制する手段を備えたことを特徴とする請求項１、請求項２又は請求項３記載の低周波治療器。
【請求項６】
電源投入時に、刺激速さが設定された初期値に強制する手段を備えたことを特徴とする請求項１、請求項２又は請求項３記載の低周波治療器。
【発明の詳細な説明】
【０００１】
【発明の属する技術分野】
この発明は、高電圧パルスを人体に貼られた電極を通じて人体に通電することにより、低周波治療を行う低周波治療器に関する。
【０００２】
【従来の技術】
従来の一般的な低周波治療器は、昇圧された高電圧直流を高電圧パルスに波形成形し、電極を介して人体患部に連続した高電圧パルス電流を印加して治療を行う。さらに、その刺激強さは使用者が好みに応じて可変できるように、ボリュームダイヤルなどを有している。
【０００３】
【発明が解決しようとする課題】
しかしながら、上記した従来の低周波治療器にあっては、使用者がボリュームダイヤル等を不用意に急に操作したり、外力によって使用者が意図せずにボリュームダイヤル等が大きく動いた時には、使用者に急に強い刺激が加わり、不快を感じるとともに危険を生じるという問題点があった。
【０００４】
また、その危険を回避するために強さの変動量が大きい場合に、目的の強さに到達させるのに、徐々に強さを増加させるものもあるが、使用者の意図しないボリュームダイヤル等の動作であっても受け付けるので、使用者が老人など、即座に自分の意志を動作に移すことができない人には、対応しきれるものではない。
この発明は上記問題点に着目してなされたものであって、強さダイヤルが強い方に大きく動いた場合には、刺激強さを変更しないか、強さ増加量を制限する低周波治療器を提供することを目的としている。
【０００５】
【課題を解決するための手段】
この出願の特許請求の範囲の請求項１に係る低周波治療器は、高電圧パルスを人体に貼られた電極を通じて人体に通電することにより、低周波治療を行い、かつ強さを調整する手段を有する低周波治療器において、強さ調整手段の強さが、刺激強さの強くなる方向に設定された時間内に設定された移動量よりも大きく動いたか否かを判別する手段と、設定された移動量よりも大きく動いた場合には、刺激強さの変更を禁止する手段と、を備えている。
【０００６】
また、請求項２に係る低周波治療器は、高電圧パルスを人体に貼られた電極を通じて人体に通電することにより、低周波治療を行い、かつ強さを調整する手段を有する低周波治療器において、強さ調整手段の強さが、刺激強さの強くなる方向に設定された時間内に設定された移動量よりも大きく動いたか否かを判別する手段と、設定された移動量よりも大きく動いた場合には、刺激強さの増加を設定された増加上限値に制限する手段と、を備えている。
【０００７】
これらの低周波治療器では、強さ調整手段が刺激強さが強くなる方向に一定時間内に大きく動いた場合には、刺激強さの変更をしないか、あるいは設定された刺激強さ増加上限までしか強くならないようにしたので、使用者が意図しない急な強さ調整手段の動作にはそのまま反応せず、安全であるとともに不快を感じない。
【０００８】
また、請求項３に係る低周波治療器は、高電圧パルスを人体に貼られた電極を通じて人体に通電することにより、低周波治療を行い、かつ強さを調整する手段を有する低周波治療器において、強さ調整手段の強さが、刺激強さの弱くなる方向に設定された時間内に設定された移動量よりも大きく動いたか否かを判別する手段と、設定された移動量よりも大きく動いた場合には、刺激強さを０に強制する手段と、を備えている。
【０００９】
この低周波治療器によれば、強さ調整手段が刺激強さが弱くなる方向に一定時間内に大きく動いた場合に、刺激強さを０にするようにすれば、使用者が低周波治療に不快を感じた時や、即座に低周波治療を中止したい時に、強さダイヤルを刺激が弱くなる方向に速く操作すれば、従来よりも少ない操作量で強さ刺激を０にすることができる。
【００１０】
【発明の実施の形態】
以下、実施の形態により、この発明をさらに詳細に説明する。図１は、この発明の一実施形態である低周波治療器の平面図である。この低周波治療器は、本体ケース１と電極２、３からなり、本体ケース１は主体部４と把手部５とから構成されている。主体部４の表面には、肩キー６、腰キー７、足裏キー８、腕キー９、脚キー１０、関節キー１１等の部位キーが、さらにたたきキー１２、もむキー１３、おすキー１４、さするキー１５、電源キー１６を備えている。また、中央部には表示部１７が設けられている。把手部５には、右側にエンドレス回転可能な強さダイヤル（強さ調整手段）１８、左側に速さダイヤル（速さ調整手段）１９が、それぞれ設けられている。ここでは強さダイヤル１８は０から１５段階までを、速さダイヤル１９は１から１５段階までを表示部１７で表示可能に構成されている。
【００１１】
図２は、この実施形態低周波治療器の回路図である。この低周波治療器は回路的には、電池２１を含む電源回路２２、電源回路２２の電圧を１００Ｖ程に昇圧する昇圧回路２３、マイクロコンピュータ２４、強さダイヤル１８、速さダイヤル１９、その他のキースイッチを含む操作スイッチ部２５、トランジスタＴｒ1 、Ｔｒ2 、……、Ｔｒ5 を含む印加電圧制御部２６、トランジスタＴｒ6 、Ｔｒ7 、Ｔｒ8 、……、Ｔｒ11を含む波形成形及び出力部２７、及びトランジスタＴｒ12を含む電流検知部２８を備えている。出力部２７のジャック２９に電極２、３が接続される。  マイクロコンピュータ２４からの信号Ｄ1 、……、Ｄ5 の状態により、トランジスタＴｒ1 、……、Ｔｒ5 がＯＮ／ＯＦＦされ、昇圧電源に並列に入る抵抗が切替選択され、電極２、３への印加電圧が調整される。また、マイクロコンピュータ２４より、信号Ｄ5 が出力されると、その間トランジスタＴｒ6 がＯＮし、信号Ｄ7 が出力されると、トランジスタＴｒ7 がＯＮし、ジャック２９が正負交互のパルス電圧が印加される。
【００１２】
また、マイクロコンピュータ２４は、操作スイッチ部２５の強さダイヤル１８、速さダイヤル１９からの信号を読み取り、その読み取りに応じた強さ、速さのパルス電圧をジャック２９に接続される電極２、３に印加する。このマイクロコンピュータ２４の操作スイッチ部２５からの信号取込み処理動作を図３に示すフロー図を参照して説明する。
【００１３】
電源が投入され、動作がスタートすると、強さを０とする（ステップＳＴ１）。この場合、強さダイヤル１８のロータリエンコーダは、何らかのデジタル値を出力していると思われるが、マイクロコンピュータ２４では、この時点の値を０として扱うことになる。次に、強さダイヤル１８の＋方向に回されたか、判定する（ステップＳＴ２）。オペレータが強さを大きくしようとして、＋方向に強さダイヤル１８を回転させていると、この判定はＹＥＳで、ステップＳＴ３に移り、ダイヤル回転量を読み込む。次に、このダイヤル回転量が０．５秒以内に５目盛（段階）以上回転されたか（ステップＳＴ４）の判定により、急に強さダイヤルを大きく増加させたか否か判別する。ステップＳＴ４の判定ＹＥＳの場合は、急激な増加であると判断し、現強さに＋５し、その値を強さとし（ステップＳＴ５）、さらに強さの表示（目盛）を１５とし（ステップＳＴ６）、１回の操作で５目盛を超えて強くならないようにし、瞬時に強さが極端に大きくなるのを抑える。
【００１４】
ステップＳＴ４で判定ＮＯの場合は、急激な増大でないとし、現強さに回転目盛量を加算して、新たな強さとし（ステップＳＴ７）、その強さが１５を超えて大かを判定し（ステップＳＴ８）、ＹＥＳの場合は強さを１５とし（ステップＳＴ６９、リターンする。判定ＮＯの場合は、そのままステップＳＴ２にリターンする。
【００１５】
ステップＳＴ２で、＋方向にダイヤルが回されていない場合には、続いて−方向にダイヤルが回されたかを判定する（ステップＳＴ９）。この判定もＮＯの場合は、＋−いずれも回されていず、したがってこのステップＳＴ２、ＳＴ９でダイヤルが回されるのを待機する。強さダイヤルが−方向に回されると、ステップＳＴ９の判定がＹＥＳとなり、ダイヤル回転量を読み込む（ステップＳＴ１０）。そして、０．５秒以内に５目盛以上回されたかを判定する（ステップＳＴ１１）。判定ＹＥＳの場合、強さを強制的に０とし（ステップＳＴ１２）、リターンする。ステップＳＴ１１の判定ＮＯの場合には、現強さから回転目盛量を減算して（ステップＳＴ１２）、強さが０より小さいか否かを判定する。判定ＮＯであれば、ステップＳＴ２までリターンし、判定ＹＥＳの場合には強さを０に強制して（ステップＳＴ１４）、ステップＳＴ２にリターンする。
【００１６】
【発明の効果】
請求項１、請求項２に係る発明によれば、強さ調整手段が、刺激強さの強くなる方向に一定時間内に大きく動いた場合には、刺激強さの変更を変更しないか、あるいは設定された刺激強さ増加上限までしか強くならないようにしているので、使用者が意図しない急な強さ調整手段の動作にはそのまま反応せず、安全であるとともに不快を感じさせない。
【００１７】
また、請求項３に係る発明によれば、強さ調整手段が、刺激強さの弱くなる方向に一定時間内に大きく動いた場合に、強さを０にするようにしているので、使用者が低周波治療に不快を感じた時や、即座に低周波治療を中止したい時に、面さダイヤルを刺激が弱くなる方向に速く操作すれば、従来のものより、少ない操作量で強さ刺激を０にすることができる。
【図面の簡単な説明】
【図１】この発明の一実施形態である低周波治療器の外観平面図である。
【図２】同実施形態低周波治療器の内部回路を示す回路図である。
【図３】同実施形態低周波治療器の強さダイヤルを操作した時の処理動作を説明するためのフロー図である。
【符号の説明】
１      本体ケース
２、３  電極
５      把手部
１８    強さダイヤル
１９    速さダイヤル
【図１】
0003651265.tif 000002
【図２】
0003651265.tif 000003
【図３】
0003651265.tif 000004